【事件の表示】
　特願２０００−　７１２７３「遊技機」拒絶査定不服審判事件〔平成１３年　９月２５日出願公開、特開２００１−２５９１７１〕について、次のとおり審決する。
【結　論】
　本件審判の請求は、成り立たない。
【理　由】
第１．手続の経緯等
　本願の手続の経緯概要は以下のとおりである。
　平成１２年　３月１４日　出願
　平成１４年　４月３０日　手続補正（自発）
　平成２１年１２月　７日　拒絶理由通知
　平成２２年　２月１２日　手続補正
　平成２２年　８月２０日　拒絶理由通知（最後）
　平成２２年１０月２１日　手続補正Ａ
　平成２３年　５月１９日　補正却下（手続補正Ａ）、拒絶査定
　平成２３年　８月２３日　本件審判請求、手続補正
　平成２３年１１月１５日　審尋
　平成２４年　１月１９日　回答書
　　
第２．平成２３年８月２３日付けの手続補正についての補正却下の決定
［補正却下の決定の結論］
　平成２３年８月２３日付けの手続補正（以下、「本件補正」という。）を却下する。
［理由］
１．補正後の本願発明
　平成２２年１０月２１日付けの手続補正は平成２３年５月１９日付けで却下されているので、本件補正は平成２２年２月１２日付け手続補正により補正された明細書及び図面を補正するものであって、その補正の前後の特許請求の範囲は以下のとおりである。
　
（補正前）
　「【請求項１】　複数の図柄を表示可能な図柄表示装置を設け、所定条件の成立によりその図柄表示装置の図柄が変動を開始し、所定時間経過後に停止表示され、当該停止表示された図柄が所定の大当たり図柄である場合には、遊技者にとって有利となる特別遊技状態が生起する遊技機であって、
　前記図柄表示装置に変動表示されている図柄が遊技者に視認不可能に消滅表示された後、再び遊技者に視認可能に表示された時には大当たり図柄が停止表示されることを特徴とする遊技機。
　　【請求項２】　前記消滅表示が変動開始時から変動停止時までの任意のタイミングで発生することを特徴とする請求項１に記載の遊技機。
　　【請求項３】　前記消滅表示を音により告知することを特徴とする請求項１又は２に記載の遊技機。
　　【請求項４】　前記消滅表示を遊技盤上に設けた電飾の点灯及び／又は点滅により告知することを特徴とする請求項１乃至３の何れかに記載の遊技機。」
　
（補正後）
　「【請求項１】　複数の図柄を表示可能な図柄表示装置を設け、所定条件の成立によりその図柄表示装置の図柄が変動を開始し、所定時間経過後に停止表示され、当該停止表示された図柄が所定の大当たり図柄である場合には、遊技者にとって有利となる特別遊技状態が生起する遊技機であって、
　前記図柄表示装置に変動表示されている
全
はずれ図柄で一旦停止され、その後、
、
前記消滅表示を音により告知し、
前記消滅表示を遊技盤上に設けた電飾の点灯及び／又は点滅により告知す
　
　上記補正は、補正前請求項１〜３を削除し、補正前請求項１を引用する補正前請求項３を更に引用する補正前請求項４を独立記載形式として新たな請求項１とした上で、「図柄が遊技者に視認不可能に消滅表示」を「全図柄が、はずれ図柄で一旦停止され、その後、遊技者に視認不可能に消滅表示」と限定するものであり、平成１８年法律第５５号改正附則３条１項によりなお従前の例によるとされる同法による改正前の特許法１７条の２第４項１号の請求項の削除及び２号の特許請求の範囲の減縮を目的とするものに該当する。
　そこで、本件補正後の請求項１に係る発明（以下、「本願補正発明」という。）が特許出願の際独立して特許を受けることができるものであるか（上記改正前の特許法１７条の２第５項において準用する同法１２６条５項の規定に適合するか）について以下に検討する。
　
２．引用文献
  当審で発見した特開平１１−２４４４７９号公報（公開日：平成１１年９月１４日）（以下、「引用文献１」という。）には、以下の事項が図面とともに記載されている。
　
【００１８】図１は、遊技機の一例のパチンコ遊技機の遊技盤面を示す正面図である。・・・発射されたパチンコ玉（打玉）は区画レール２の間を通って、遊技盤１の前面に形成された遊技領域３内に打込まれる。
【００１９】遊技領域３内には、図柄等からなる複数種類の識別情報を可変表示して表示状態が変化可能な可変表示装置として、特別図柄用可変表示装置２４および飾り図柄用可変表示装置４の２種類の装置が設けられている。
【００３１】始動条件が成立すれば、特別図柄用可変表示装置２４において、左，中，右特別図柄可変表示部で一斉に可変表示が開始される。特別図柄用可変表示装置２４で可変表示が開始されるのと同時に、飾り図柄用可変表示装置４においても飾り図柄表示部５ａ〜５ｉの各々において飾り図柄が一斉にスクロール表示されることにより可変表示が開始される。その後、飾り図柄表示部５ａ〜５ｉを含む画像表示部５で演出効果を高めるための可変表示やキャラクタの表示が行なわれた後、飾り図柄表示部５ａ〜５ｉの最終的な表示結果が表示される。・・・
【００３９】・・・そして、横方向３行の３本と、縦方向３列の３本と、斜め対角線上の２本との合計８本の入賞ライン(1)〜(8)のうちの、少なくともいずれか１つの入賞ライン上において、「７７７」の飾り図柄のゾロ目が揃うか、あるいは、飾り図柄表示部５ａ〜５ｉのすべてに所定の関連性を有するフルーツ図柄が表示された場合（オールフルーツという）に大当たり状態が発生する。・・・
【００５４】 ・・・基本回路３１は、ランプ回路４０を介して、サイドランプ２２および風車ランプ２１等のこのパチンコ遊技機に設けられた各種ランプ４３を点灯または点滅表示させる制御を行なう。
【００５８】基本回路３１は、遊技状態に応じて、音声合成回路４７を介して音量増幅回路４８に音制御用信号を出力する。音量増幅回路４８からは、増幅された音制御用信号が出力され、パチンコ遊技機に設けられたスピーカ等から音が発せられる。この音制御用信号としては、左のスピーカ制御用の音出力（Ｌ）と、右スピーカ制御用の音出力（Ｒ）とが出力され、それらの出力に基づいて、スピーカからステレオ音が発せられる。
【００９１】図８を参照して、第１グループの飾り図柄表示部（５ａ，５ｆ，５ｈ）に可変表示される飾り図柄（１，６，８）について説明する。たとえば、飾り図柄表示部５ａには、飾り図柄１が図示最下段から上段に向かう順序で可変表示される。図柄は、図示最下段から上段に向かう順序でそれぞれ、小さな菱形の図形からなるブランク図柄、星型図柄、数字図柄７、フルーツ図柄の一例のリンゴ図柄、…である。同様に、飾り図柄表示部５ｆでは飾り図柄６が図示最下段から上段に向かう順序で飾り図柄表示部５ａの可変表示と連動して可変表示され、同じく飾り図柄表示部５ｈでは飾り図柄８が図示最下段から上段に向かう順序で飾り図柄表示部５ａの可変表示と連動して可変表示される。
【００９５】図８〜図１０に示した各図柄のうち、数字図柄７が大当たり図柄である。また、ブランク図柄と星型図柄とが外れ図柄であるが、このうち星型図柄は前述した再変動図柄である。その他の各種フルーツ図柄は、前述したオールフルーツによる大当たりを発生させることのできる図柄である。・・・
【０１１１】・・・なお、マスクのトーンは、完全にマスク背部の飾り図柄表示部の表示状態が隠れるようなものであってもよく、また、視認可能なトーンであってもよい。
【０１２６】（８）  再変動後、キャラクタが出現してオール７が発生する場合（すべての入賞ラインに再変動図柄が出揃う場合）
まず、飾り図柄表示部５ａ〜５ｉで飾り図柄の一斉変動が開始した後（図２０（ａ）、第１グループの飾り図柄表示部（５ａ，５ｆ，５ｈ）、第２グループの飾り図柄表示部（５ｂ，５ｄ，５ｉ）、第３グループの飾り図柄表示部（５ｃ，５ｅ，５ｇ）の順に可変表示が終了する（図２０（ｂ）〜図１６（ｄ））。そして、すべての入賞ライン(1)〜(8)に再変動図柄が出揃った状態で外れの結果が一旦表示される。なお、この際には再変動図柄は準停止の状態にある。
【０１２７】すべての入賞ライン(1)〜(8)に再変動図柄が出揃った場合には常に再変動制御が実行される。まず、すべての飾り図柄表示部にマスクが施される（図２０（ｅ））。施されるマスクの種類は、先の（５）、（６）の場合と同様である。
【０１２８】次に、すべての飾り図柄表示部５ａ〜５ｉで飾り図柄の一斉変動が開始される（図２０（ｆ））。やがて、所定時間経過後、所定のキャラクタ７１ａが画像表示部５に出現し（図２０（ｇ））、続いて出現したキャラクタ７１ａによる所定の変身動作が表示される（図２０（ｈ））。
【０１３０】やがて所定時間の経過後、飾り図柄表示部５ａ〜５ｉの可変表示がすべて同時に終了し、すべての飾り図柄表示部５ａ〜５ｉに大当たり図柄が出揃って「オール７」の表示状態となるとともにマスクの表示が解除されてすべての飾り図柄表示部５ａ〜５ｉの表示結果が容易に視認可能になる（図２１（ｂ），図２１（ｃ））。なお、キャラクタ７１ａが変身に成功した場合であっても、所定の確率で表示結果が外れとなる場合もあるが、ここではその表示内容の説明を省略する。
　
　以上を含む全記載及び図示によれば、引用文献１には次の発明が記載されていると認められる。なお、段落【０１１１】には「なお、マスクのトーンは、完全にマスク背部の飾り図柄表示部の表示状態が隠れるようなものであってもよく、また、視認可能なトーンであってもよい。」と選択的に記載されているが、以下においては「マスクのトーンは、完全にマスク背部の飾り図柄表示部の表示状態が隠れる」場合を採用する。また、段落【０１３０】の「なお、キャラクタ７１ａが変身に成功した場合であっても、所定の確率で表示結果が外れとなる場合もある」との記載によれば、表示結果として「大当たり」に加えて「外れ」があることは自明である。
　
　「ブランク図柄、星型図柄、数字図柄７、フルーツ図柄からなる飾り図柄を可変表示する飾り図柄用可変表示装置４を設け、始動条件が成立すれば、飾り図柄用可変表示装置４において飾り図柄の可変表示が開始され、その後、最終的な表示結果が表示され、少なくともいずれか１つの入賞ライン上において、「７７７」の飾り図柄のゾロ目が揃うか、あるいは、飾り図柄表示部５ａ〜５ｉのすべてに所定の関連性を有するフルーツ図柄が表示された場合に大当たり状態が発生する遊技機であって、
　飾り図柄用可変表示装置４において、すべての入賞ライン(1)〜(8)に再変動図柄が出揃った状態で外れの結果が一旦表示され、その後、すべての飾り図柄表示部に完全に表示状態が隠れるマスクが施された後、大当たり図柄が出揃って「オール７」の表示状態となるか又は外れの表示状態となるとともにマスクの表示が解除されてすべての表示結果が容易に視認可能とされ、
　基本回路３１は、遊技状態に応じて、音声合成回路４７を介して音量増幅回路４８に音制御用信号を出力して、遊技機に設けられたスピーカ等から音が発せられ、
　基本回路３１は、ランプ回路４０を介して、遊技機に設けられた各種ランプ４３を点灯または点滅表示させる制御を行なう、
　遊技機。」（以下、「引用発明１」という。）
　
３．対比
　本願補正発明と引用発明１を対比する。
　引用発明１の「ブランク図柄、星型図柄、数字図柄７、フルーツ図柄からなる飾り図柄」は本願補正発明の「複数の図柄」に相当し、以下同様に、
　「飾り図柄用可変表示装置４」は「図柄表示装置」に、
　「始動条件が成立すれば」は「所定条件の成立により」に、
　「可変表示が開始され」は「図柄が変動を開始し」に、
　「その後、最終的な表示結果が表示され」は「所定時間経過後に停止表示され」に、
　「少なくともいずれか１つの入賞ライン上において、「７７７」の飾り図柄のゾロ目が揃うか、あるいは、飾り図柄表示部５ａ〜５ｉのすべてに所定の関連性を有するフルーツ図柄が表示された場合」は「停止表示された図柄が所定の大当たり図柄である場合」に、
　「大当たり状態が発生する」は「遊技者にとって有利となる特別遊技状態が生起する」に、それぞれ相当する。
　そして、引用発明１の「飾り図柄用可変表示装置４において、すべての入賞ライン(1)〜(8)に再変動図柄が出揃った状態で外れの結果が一旦表示され、その後、すべての飾り図柄表示部に完全に表示状態が隠れるマスクが施された後、大当たり図柄が出揃って「オール７」の表示状態となるか又は外れの表示状態となるとともにマスクの表示が解除されてすべての表示結果が容易に視認可能とされ、」について検討する。
　「すべての入賞ライン(1)〜(8)に再変動図柄が出揃った状態」は、変動表示されている全図柄が「再変動図柄」で停止された状態であって、その後に再変動が行われるものであるから、その「停止」は「一旦停止」ということができる。また、「再変動図柄」は「星型図柄」であって、「外れ図柄」である（段落【００９５】参照）。更に、「完全に表示状態が隠れるマスクが施され」ることにより図柄は「遊技者に視認不可能に消滅」になり、「大当たり図柄が出揃って「オール７」の表示状態となるか又は外れの表示状態となるとともにマスクの表示が解除されてすべての表示結果が容易に視認可能」となることにより「再び遊技者に視認可能に表示された時には大当たり図柄が揃って停止表示されるか又は外れの表示状態が表示される」ものである。
　そうすると、再び遊技者に視認可能に表示された時の停止図柄が「大当たり図柄」のみであるか「大当たり図柄」に加えて「はずれ図柄」を含むかは別として、引用発明１と本願補正発明は、「前記図柄表示装置に変動表示されている全図柄が、はずれ図柄で一旦停止され、その後、遊技者に視認不可能に消滅表示された後、再び遊技者に視認可能に表示された時には停止図柄が停止表示され」る点で共通している。
　更に、引用発明１は「基本回路３１は、遊技状態に応じて、音声合成回路４７を介して音量増幅回路４８に音制御用信号を出力して、遊技機に設けられたスピーカ等から音が発せられ、基本回路３１は、ランプ回路４０を介して、遊技機に設けられた各種ランプ４３を点灯または点滅表示させる制御を行なう」ものであるから、消滅表示を告知するか否かは別として、引用発明１と本願補正発明は「音発生手段及び電飾点灯／点滅手段を具備する」点で共通している。
　
　以上により、本願補正発明と引用発明１は、
　「複数の図柄を表示可能な図柄表示装置を設け、所定条件の成立によりその図柄表示装置の図柄が変動を開始し、所定時間経過後に停止表示され、当該停止表示された図柄が所定の大当たり図柄である場合には、遊技者にとって有利となる特別遊技状態が生起する遊技機であって、
　前記図柄表示装置に変動表示されている全図柄が、はずれ図柄で一旦停止され、その後、遊技者に視認不可能に消滅表示された後、再び遊技者に視認可能に表示された時には停止図柄が停止表示され、
　音発生手段及び電飾点灯／点滅手段を具備する、遊技機。」である点で一致し、以下の点で相違する。
　
＜相違点１＞
　再び遊技者に視認可能に表示された時に停止表示される停止図柄が、本願補正発明では、大当たり図柄であるのに対し、引用発明２では大当たり図柄又ははずれ図柄である点。
＜相違点２＞
　音発生手段が、本願補正発明では、消滅表示を音により告知するものであるのに対し、引用発明１ではそのようなものでない点。
＜相違点３＞
　電飾点灯／点滅手段が、本願補正発明では、消滅表示を遊技盤上に設けた電飾の点灯及び／又は点滅により告知するものであるのに対し、引用発明１ではそのようなものでない点。
　
４．判断
　上記各相違点について検討する。
（１）相違点１について
　従来よりパチンコ遊技機において、特定の演出を行うと必ず大当たりとする（大当たり図柄を停止表示させる）ことは、従来周知技術Ａである。一例を挙げれば、１９９６年に販売された「ＣＲモンスターハウス」では、ノーマルリーチ中にいきなり地中から手が出る演出があり、この演出が行われると１００％大当たりとなるものであり、この演出は有名なものである。
　そうすると、引用発明１において上記周知技術Ａを採用し、再び遊技者に視認可能に表示された時の可変表示結果として大当たり図柄のみを表示させるようにし、相違点１に係る本願補正発明の構成とすることは当業者であれば容易になし得たことである。
（２）相違点２について
　遊技機においては、リーチ発生、大当たり発生など遊技状態に応じて音を変化させることは慣用技術であって、これは音によってその遊技状態の変化を遊技者に告知するものといえる。そうすると、引用発明１において上記慣用技術を採用して、遊技状態の変化である図柄の消滅時に音を変化させてそれを告知するようにし、相違点２に係る本願補正発明の構成とすることは、当業者であれば容易になし得たことである。
　また、仮に、そうでないとしても、下記周知例１、２、３に示されるように、再変動を音により告知することは従来周知技術Ｂと認められるから、引用発明１において周知技術Ｂを採用して、再変動時の消滅表示を音によって告知するようにし、相違点２に係る本願補正発明の構成とすることは当業者であれば容易になし得たことである。
（３）相違点３について
　遊技機においては、リーチ発生、大当たり発生など遊技状態に応じて電飾の点灯及び／又は点滅の状態を変化させることは慣用技術であって、これは電飾の点灯及び／又は点滅の状態によってその遊技状態の変化を遊技者に告知するものといえる。そうすると、引用発明１において上記慣用技術を採用して、遊技状態の変化である図柄の消滅時に電飾の点灯及び／又は点滅の状態を変化させてそれを告知するようにし、相違点３に係る本願補正発明の構成とすることは、当業者であれば容易になし得たことである。
　また、仮に、そうでないとしても、下記周知例３、４に示されるように、再変動表示を遊技盤上に設けた電飾の点灯及び／又は点滅により告知することは従来周知技術Ｃと認められるから、引用発明１において周知技術Ｃを採用して、再変動時の消滅表示を遊技盤上に設けた電飾の点灯及び／又は点滅により告知するようにし、相違点３に係る本願補正発明の構成とすることは当業者であれば容易になし得たことである。
　＜周知例１＞特開２０００−６１０４４号公報
　　　段落【００３０】には「・・・第１０リーチ音は変動パターン９での　　変動中に全第１図柄が再変動前の一時停止から再変動の開始に合わせて　　出力するようにプログラムされている。」と記載されている。
　＜周知例２＞特開平１１−２６２５６５号公報
　　　段落【０１０３】には「・・・再可変表示制御がなされる前の予告表　　示として・・・また、この際に所定の効果音がスピーカ３４から発せら　　れるように構成してもよい。」と記載されている。
　＜周知例３＞特開平１１−１５６０１５号公報
　　　段落【００４４】には「・・・また、盤面や枠に設けた装飾ランプ類　　の点灯表示乃至効果音を再変動パターンによって変えてもよい。・・・　　」と記載されている。
　＜周知例４＞特開平１１−２７６６７９号公報
　　　段落【００５７】には「再変動表示を開始する可変表示器を報知する　　ようにしたが、これに限らず、各シンボル表示窓１８ａ，１８ｂ，１８　　ｃの窓枠や上下位置に発光ダイオードなどの表示器を配備して、この種　　の報知を行っても良い。」と記載されている。
　
　そして、本願補正発明の効果は、引用発明１、上記周知技術Ａ及び上記慣用技術又は上記周知技術Ｂ、Ｃに記載された技術事項から当業者が予測できる範囲のものである。
　
　したがって、本願補正発明は、引用発明１、上記周知技術Ａ及び上記慣用技術又は上記周知技術Ｂ、Ｃに記載された技術事項に基づいて、当業者が容易に発明をすることができたものであるから、特許法２９条２項の規定により特許出願の際独立して特許を受けることができないものである。
　
５．むすび
　以上のとおり、本件補正は、上記改正前の特許法１７条の２第５項で準用する同法１２６条第５項の規定に違反するものであり、同法１５９条第１項で準用する同法５３条第１項の規定により却下されるべきものである。
　
第３．本願発明
１．本願発明の認定
　平成２３年８月２３日付けの手続補正は上記のとおり却下されたので、本願の請求項１に係る発明（以下、「本願発明」という。）は、平成２２年２月１２日付けの手続補正書の特許請求の範囲の請求項１に記載された事項により特定される、以下のとおりのものである。
「【請求項１】　複数の図柄を表示可能な図柄表示装置を設け、所定条件の成立によりその図柄表示装置の図柄が変動を開始し、所定時間経過後に停止表示され、当該停止表示された図柄が所定の大当たり図柄である場合には、遊技者にとって有利となる特別遊技状態が生起する遊技機であって、
　前記図柄表示装置に変動表示されている図柄が遊技者に視認不可能に消滅表示された後、再び遊技者に視認可能に表示された時には大当たり図柄が停止表示されることを特徴とする遊技機。」　
　
２．引用文献
　原査定の拒絶の理由（平成２２年８月２０日付け拒絶理由通知書参照）に引用された特開２０００−６１０７８号公報（以下、「引用文献２」という。）には、以下の事項が図面とともに記載されている。
　
【００１７】図１は、本発明に係る遊技機の一例のパチンコ遊技機１の正面図である。パチンコ遊技機１の遊技盤には、遊技領域３が形成されている。・・・
【００１８】遊技領域３の中央には、複数種類の識別情報としての特別図柄を可変表示させることが可能な可変表示装置４が設けられている。・・・
【００２１】・・・この始動口９に入賞した始動入賞球は後述する始動球検出器３４により検出され、その検出出力に基づいて可変表示装置４が可変開始される。
【００２２】この可変表示装置４は、たとえばＣＲＴ表示器５３で構成されており、画像表示部５が設けられている。この画像表示部５においては、表示画面の左から右へ並ぶ左可変表示部と中可変表示部と右可変表示部との３つの可変表示部が表示される。各可変表示部においては、特別図柄が個別に可変表示される。左，中，右のすべての可変表示部が一斉に可変開始することにより複数種類の特別図柄からなる識別情報が上から下に向かってスクロール表示される。そして、まず左可変表示部が停止制御され、次に右可変表示部が停止制御され、最後に中可変表示部が停止制御される。・・・
【００２３】この可変表示装置４の可変表示結果が、予め定められた大当り図柄の組合せ（たとえば７７７）となることにより特定遊技状態（大当り状態）が発生して可変入賞球装置１２が第１の状態に制御されて遊技者にとって有利な状態となる。
【０１３２】次に、図２０（ｂ）に示すように、画像表示部５の上部に垂幕状の遮蔽用キャラクタ２０１が表示され、変動中の各図柄を垂幕によって徐々に覆うような表示がなされる。各図柄の背景も含めて覆うため、図柄は完全に視認不能となる。やがて画像表示部の全体が垂幕によって覆われる。連続して変動する図柄の変動状況を視認不可能な意外性のある表示がなされることにより、遊技者の可変表示に対する緊張感が高められる。なお、可変表示結果が大当りあるいは確変大当りの場合にこの種の遮蔽表示が行なわれる可能性を高くするようにしてもよい。・・・
【０１３３】画像表示部５の背景画像も含めて全体が垂幕によって覆われた後、たとえば、左図柄、右図柄、中図柄の順序で可変表示が終了し、可変表示結果が確定する。ただし、画像表示部５の全体が垂幕によって覆われているために、遊技者は図柄が導出される過程および表示結果を視認できない。このため、遊技者の表示結果に対する期待感を向上させることができる。・・・
【０１３４】その後、所定のタイミングで遮蔽キャラクタ２０１が画像表示部５の下方へ徐々に移動し、これに伴って停止図柄が徐々に視認可能となる。そして、遮蔽用キャラクタ２０１が画像表示部５の画像に行き着いた時点で図２０（ｄ）に示すように可変表示結果が明らかにされる。
　
　以上を含む全記載及び図示によれば、引用文献２には次の発明が記載されていると認められる。なお、段落【０１３２】の「可変表示結果が大当りあるいは確変大当りの場合にこの種の遮蔽表示が行なわれる可能性を高くするようにしてもよい。」との記載によれば、可変表示結果として「大当たり」に加えて「ハズレ」があることは自明である。
　
　「複数種類の識別情報としての特別図柄を可変表示させることが可能な可変表示装置４を設け、始動球検出器３４の検出出力に基づいて可変表示装置４が可変開始され、特別図柄からなる識別情報が上から下に向かってスクロール表示された後停止制御され、この可変表示装置４の可変表示結果が、予め定められた大当たり図柄の組合せ（たとえば７７７）となることにより特定遊技状態（大当たり状態）が発生して遊技者にとって有利な状態となる遊技機であって、
　変動中の各図柄を遮蔽用キャラクタ２０１によって徐々に覆うような表示がなされた後、遮蔽キャラクタ２０１が画像表示部５の下方へ徐々に移動し、これに伴って停止図柄が徐々に視認可能となって、大当たり又はハズレの可変表示結果が明らかにされる、遊技機。」（以下、「引用発明２」という。）
　
３．対比
　本願発明と引用発明２を対比する。
　引用発明２の「複数種類の識別情報としての特別図柄」は本願補正発明の「複数の図柄」に相当し、以下同様に、
　「可変表示装置４」は「図柄表示装置」に、
　「始動球検出器３４の検出出力に基づいて」は「所定条件の成立により」に、
　「可変表示装置４が可変開始され」は「図柄が変動を開始し」に、
　「特別図柄からなる識別情報が上から下に向かってスクロール表示された後停止制御され」は「所定時間経過後に停止表示され」に、
　「この可変表示装置４の可変表示結果が、予め定められた大当たり図柄の組合せ（たとえば７７７）となることにより」は「停止表示された図柄が所定の大当たり図柄である場合」に、
　「特定遊技状態（大当たり状態）が発生して遊技者にとって有利な状態となる」は「遊技者にとって有利となる特別遊技状態が生起する」に、
　「変動中の各図柄」は「前記図柄表示装置に変動表示されている図柄」に、それぞれ相当する。
　そして、「変動中の各図柄を遮蔽用キャラクタ２０１によって徐々に覆うような表示がなされた後、遮蔽キャラクタ２０１が画像表示部５の下方へ徐々に移動し、これに伴って停止図柄が徐々に視認可能となって、大当たり又はハズレの可変表示結果が明らかにされる、」について検討する。
　「変動中の各図柄をの遮蔽用キャラクタ２０１によって徐々に覆うような表示がなされ」ることにより各図柄は「遊技者に視認不可能に消滅」した状態になり、「遮蔽キャラクタ２０１が画像表示部５の下方へ徐々に移動し、これに伴って停止図柄が徐々に視認可能とな」ることにより「再び遊技者に視認可能に表示された時には」可変表示結果が停止表示されるものである。
　そうすると、可変表示結果が、「大当たり」のみであるか「大当たり」に加えて「ハズレ」を含むかは別として、引用発明２と本願発明は「前記図柄表示装置に変動表示されている図柄が遊技者に視認不可能に消滅表示された後、再び遊技者に視認可能に表示された時には可変表示結果が停止表示される」点で共通している。
　
　以上により、本願発明と引用発明２は、
　「複数の図柄を表示可能な図柄表示装置を設け、所定条件の成立によりその図柄表示装置の図柄が変動を開始し、所定時間経過後に停止表示され、当該停止表示された図柄が所定の大当たり図柄である場合には、遊技者にとって有利となる特別遊技状態が生起する遊技機であって、
　前記図柄表示装置に変動表示されている図柄が遊技者に視認不可能に消滅表示された後、再び遊技者に視認可能に表示された時には可変表示結果が停止表示される、遊技機。」である点で一致し、以下の点で相違する。
　
＜相違点４＞
　再び遊技者に視認可能に表示された時の可変表示結果が、本願発明では、大当たり図柄であるのに対し、引用発明２では大当たり図柄又はハズレ図柄である点。
　
４．判断
　上記相違点４について検討すると、従来よりパチンコ遊技機において、特定の演出を行うと必ず大当たりとする（大当たり図柄を停止表示させる）ことは、「第２」で検討したように従来周知技術Ａである。
　そうすると、引用発明２において上記周知技術Ａを採用し、再び遊技者に視認可能に表示された時の可変表示結果として大当たり図柄のみを表示させるようにし、相違点４に係る本願補正発明の構成とすることは当業者であれば容易になし得たことである。
　
　そして、本願発明の効果は、引用発明２及び上記周知技術Ａに記載された技術事項から当業者が予測できる範囲のものである。
　
　したがって、本願発明は、引用発明２及び上記周知技術Ａに記載された技術事項に基づいて、当業者が容易に発明をすることができたものであるから、特許法２９条２項の規定により特許を受けることができないものである。
　
第４．むすび
　以上のとおり、本願発明は、引用発明２及び上記周知技術Ａに基づいて、当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。